(57)【要約】【課題】内部の異常を高精度に検出する。自然の力を利用して効率を上げる。【解決手段】絶縁ガス１が封入された接地タンク２内に導体を電気的に絶縁した状態で収容すると共に、接地タンク２内で発生した絶縁ガス１の分解ガスを吸着材４によって吸着除去するガス絶縁電力機器であって、吸着材４を接地タンク２とは別の密閉容器５に収容すると共に、密閉容器５を接地タンク２に接続し、接地タンク２から密閉容器５を経由して接地タンク２へと戻る循環路９によって密閉容器５内と接地タンク２内とを連通させ、循環路９の途中に上流側よりも下流側が高く配置され且つ日光を受けた場合に内部のガスを暖めて上昇力を発生させる集熱部３４を設けている。【選択図】図１
2008067537.tif 000002
【特許請求の範囲】
【請求項１】
絶縁ガスが封入された接地タンク内に導体を電気的に絶縁した状態で収容すると共に、前記接地タンク内で発生した前記絶縁ガスの分解ガスを吸着材によって吸着除去するガス絶縁電力機器において、前記吸着材を前記接地タンクとは別の密閉容器に収容すると共に、前記密閉容器を前記接地タンクに接続し、前記接地タンクから前記密閉容器を経由して前記接地タンクへと戻る循環路によって前記密閉容器内と前記接地タンク内とを連通させ、前記循環路の途中に上流側よりも下流側が高く配置され且つ日光を受けた場合に内部のガスを暖めて上昇力を発生させる集熱部を設けたことを特徴とするガス絶縁電力機器。
【請求項２】
前記集熱部の表面は前記循環路の表面よりも暗い色に着色されていることを特徴とする請求項１記載のガス絶縁電力機器。
【請求項３】
前記集熱部の表面に集熱用フィンが設けられていることを特徴とする請求項１又は２記載のガス絶縁電力機器。
【請求項４】
前記密閉容器は前記接地タンクから切り離し可能であり、前記密閉容器を切り離す場合に前記循環路の接地タンク側連通路を閉じる第１の開閉弁を備えることを特徴とする請求項１から３のいずれか一つに記載のガス絶縁電力機器。
【請求項５】
前記密閉容器を切り離す場合に前記循環路の密閉容器側連通路を閉じる第２の開閉弁を備えることを特徴とする請求項４記載のガス絶縁電力機器。
【請求項６】
前記接地タンクから前記吸着材に至るまでの間の前記循環路に前記吸着材に接する前のガスを採取する採取口を設けたことを特徴とする請求項１から５のいずれか１つに記載のガス絶縁電力機器。
【発明の詳細な説明】
【技術分野】
【０００１】
本発明は、例えばＳＦ６ガスやＳＦ６ガスを含む混合ガス等を主絶縁媒体あるいはアーク消弧媒体等として用いたガス絶縁電力機器、例えば、ガス絶縁開閉装置（ＧＩＳ）、ガス遮断器（ＧＣＢ）、キュービクル形ガス開閉装置（Ｃ−ＧＩＳ）、ガス絶縁変圧器、管路気中ガス絶縁送電線路（ＧＩＬ）などのガス絶縁電力機器に関する。
【背景技術】
【０００２】
ガス絶縁電力機器は大気圧以上の絶縁ガスを絶縁媒体に使用するため、電気回路となる高電圧中心導体（主回路）を固体支持絶縁物（スペーサ）とともに金属製の接地タンク（機器外被）内に格納し、密閉構造を成している。そのため、外部環境の影響を受けない、機器のコンパクト化を図れる、保守面で安全であるなど種々の利点を有し、わが国では極めて多用されている。反面、機器外部からは内部の状態を監視しにくく、万一、主回路の導通や機器絶縁に異常が発生しても、その異常を検出しにくいとの問題がある。そこで、機器の内部の状態、特に絶縁性能を外部から検出する技術の開発が強く求められている。
【０００３】
例えば、ガス絶縁開閉装置内でコロナ放電が発生すると電磁波が放射されることから、この電磁波を受信することでコロナ放電を検出する絶縁異常検出装置がある（特開平０１−２３５８６５号公報）。この絶縁異常検出装置では、コロナ放電により生じる電磁波に対して受信感度が高い位置にコロナ放電検出用アンテナを配置すると共に、コロナ放電により生じる電磁波に対して受信感度が十分低い位置にノイズ検出用アンテナを配置し、コロナ放電検出用アンテナで受信された信号とノイズ検出用アンテナで受信された信号の差をとることにより、コロナ放電信号のみを取り出し異常を検出している。
【０００４】
また、異常に起因した音を検出する部分放電検出装置がある（特開平５−４５４０２号公報）。この部分放電検出装置では、電気機器を収容する密閉容器にＡＥ（アコースティック・エミッション）センサを取り付け、ＡＥセンサの出力をバンドパスフィルタ、プリアンプに入力している。ＡＥセンサは、部分放電により発生するＡＥ波の周波数スペクトルの強度が最大となる周波数に共振する特性を有しており、部分放電発生時に生じる音波を電気信号に変換する。この電気信号のうちＡＥセンサの共振周波数を中心としてプリアンプの内部雑音が最小となる周波数領域の電気信号だけをバンドパスフィルタで通過させ、外部からのノイズを除去して部分放電を検出するようにしている。
【０００５】
さらに、通電異常や絶縁異常に伴う部分放電あるいはアーク放電によってＳＦ６ガスから分解生成された各種の派生ガス（以下、分解ガスという）を化学的に検出する放電検出装置がある（特開昭５０−１２９９３８号公報）。この放電検出装置では、ＳＦ６を充満させたガス絶縁電気装置の密封容器の内部に、分解ガスと反応して抵抗値が低下するガラスエポキシ積層基板からなる検出素子を配置し、検出素子の抵抗値を監視する。放電が発生すると、ＳＦ６が分解して活性ガスが生成され、検出素子がＳＦ６分解生成ガスと反応するため、検出素子の抵抗値の低下を測定することにより放電を検出することができる。
【０００６】
しかしながら、上述の異常発生に伴う電磁波をアンテナで受信して異常を検出する手法や、異常発生に伴うＡＥ波をＡＥセンサによって感知して異常を検出する手法は、ガス絶縁機器が設置されている変電所などの環境下では背景雑音の存在によってその性能を十分に発揮できていない。なぜなら、異常の検出感度を高めるために受信感度・センサ感度を高めても、背景雑音をも検出することになり、異常を示す真の情報と背景雑音の識別（いわゆるＳ／Ｎ比）を高めることは極めて困難だからである。ここで、上述の異常発生に伴う電磁波をアンテナで受信して異常を検出する絶縁異常検出装置では、ノイズ検出用アンテナを設けることで背景雑音のキャンセルを図っているが、コロナ放電検出用アンテナが設けられている場所の背景雑音を計測しているわけではないので、背景雑音の影響を完全に排除することはできないと考えられる。
【０００７】
この点、分解ガスを化学的に検出する手法はこのような背景雑音の問題はなく、しかも、部分放電などの異常が極めて軽微であっても、ＳＦ６ガスの分解ガスは通常蓄積されるため、次第に濃度が増えて検出が容易となる利点がある。ところが、ＳＦ６ガスの分解ガスの多くは金属を腐食するなど、機器に有害な影響を与えるものが多いため、通常は機器の内部に分解ガスを吸着・除去するための吸着材が封入され、機器に有害な影響を与えない程度の濃度に抑えるようにしている。
【０００８】
【特許文献１】特開平０１−２３５８６５号
【特許文献２】特開平５−４５４０２号
【特許文献３】特開昭５０−１２９９３８号
【発明の開示】
【発明が解決しようとする課題】
【０００９】
このように、ガス絶縁電力機器では、機器内部に分解ガスを吸着する吸着材が封入されているため、通電異常あるいは絶縁異常等をＳＦ６ガスの分解ガスに基づいて検出しようとしても、検出素子等のセンサ類によって分解ガスを検出する前に分解ガスが吸着材に吸着されてしまい、分解ガスを良好に検出することができず、その実用化が難しい。つまり、吸着材に接触した後のガスに基づいてガス中の分解ガスを検出するので、分解ガスの検出感度に劣り、異常発生を良好に検出することが困難である。
【００１０】
また、分解ガスの検出感度を向上させるのに際し、できるだけ自然の力を使用して検出の効率を上げたいとの要請がある。
【００１１】
本発明は、内部の異常を高感度に検出することができ、しかも動力を使用せずに自然の力を利用して異常検出の効率を向上させることが可能なガス絶縁電力機器を提供することを目的とする。
【課題を解決するための手段】
【００１２】
かかる目的を達成するために請求項１記載の発明は、絶縁ガスが封入された接地タンク内に導体を電気的に絶縁した状態で収容すると共に、接地タンク内で発生した絶縁ガスの分解ガスを吸着材によって吸着除去するガス絶縁電力機器において、吸着材を接地タンクとは別の密閉容器に収容すると共に、密閉容器を接地タンクに接続し、接地タンクから密閉容器を経由して接地タンクへと戻る循環路によって密閉容器内と接地タンク内とを連通させ、循環路の途中に上流側よりも下流側が高く配置され且つ日光を受けた場合に内部のガスを暖めて上昇力を発生させる集熱部を設けたものである。
【００１３】
接地タンク内で通電異常や絶縁異常等の異常が発生すると、絶縁ガスから分解ガスが発生し、分解ガスの濃度が増加する。接地タンク内と密閉容器内とは循環路によって連通されており、接地タンク内で発生した分解ガスは密閉容器内へと流れて吸着材によって吸着除去される。このとき、循環路の途中に設けられている集熱部は日光を受けて内部のガスを暖め上昇力を発生させるので、この上昇力を駆動力として循環路にガスの流れが発生する。このガスの流れに乗って分解ガスも密閉容器へと流れ、吸着材に接触し吸着除去される。したがって、接地タンク内の分解ガスの濃度は迅速に減少する。分解ガスが除去された残りのガスは密閉容器から接地タンク内へと循環する。なお、集熱部に日光が当たらない場合にはガスの上昇力を発生させることはできず、積極的なガスの流れを発生させることはできないが、接地タンク内と密閉容器内は循環路によって連通されているので、接地タンク内で発生した分解ガスは自然拡散によって密閉容器内に到達し、吸着材によって吸着除去される。
【００１４】
また、請求項２記載のガス絶縁電力機器は、集熱部の表面が循環路の表面よりも暗い色に着色されている。したがって、日光を受けた場合に循環路よりも集熱部の温度上昇が大きく、循環路から集熱部内に流入したガスを確実に暖めることができる。
【００１５】
また、請求項３記載のガス絶縁電力機器は、集熱部の表面に集熱用フィンが設けられている。したがって、日光を受けた場合に循環路よりも集熱部の温度上昇が大きく、循環路から集熱部内に流入したガスを確実に暖めることができる。
【００１６】
また、請求項４記載のガス絶縁電力機器は、密閉容器が接地タンクから切り離し可能であり、密閉容器を切り離す場合に循環路の接地タンク側連通路を閉じる第１の開閉弁を備えるものである。したがって、密閉容器を切り離す場合、第１の開閉弁によって接地タンク側連通路を閉じることで接地タンク内の気密性を維持できる。つまり、接地タンク内の気密性を維持しながら吸着材を取り出すことができる。
【００１７】
また、請求項５記載のガス絶縁電力機器は、密閉容器を切り離す場合に循環路の密閉容器側連通路を閉じる第２の開閉弁を備えるものである。したがって、密閉容器を切り離す場合、第２の開閉弁によって密閉容器側連通路を閉じることで密閉容器内の気密性を維持できる。
【００１８】
さらに請求項６記載のガス絶縁電力機器は、接地タンクから吸着材に至るまでの間の循環路に吸着材に接する前のガスを採取する採取口を設けたものである。したがって、吸着材に触れる前のガス、即ち分解ガスを含んだ状態のガスを採取することができる。
【発明の効果】
【００１９】
請求項１記載のガス絶縁電力機器では、吸着材を接地タンクとは別の密閉容器に収容すると共に、密閉容器を接地タンクに接続し、接地タンクから密閉容器を経由して接地タンクへと戻る循環路によって密閉容器内と接地タンク内とを連通させ、循環路の途中に上流側よりも下流側が高く配置され且つ日光を受けた場合に内部のガスを暖めて上昇力を発生させる集熱部を設けているので、接地タンク内で発生した分解ガスを密閉容器内の吸着材で吸着し除去することができる。このため、腐食性のある分解ガスの濃度の増加を抑えることができる。しかも、集熱部が日光を受けている場合には集熱部内で発生するガスの上昇力によって循環路内にガスの流れを発生させることができるので、接地タンク内のガスを密閉容器へと迅速に循環させることができ、分解ガスを効率的に除去することができる。また、集熱部は日光を利用してガスの上昇力を発生させるので、電気モータを使用して流れを形成する場合に比べて省エネルギーであり、また、壊れにくく保守管理が容易である。
【００２０】
また、請求項２記載のガス絶縁電力機器では、集熱部の表面を循環路の表面よりも暗い色に着色しているので、日光を受けた場合にガスの上昇力を確実に発生させることができ、循環路内にガスの流れを確実に発生させることができる。
【００２１】
また、請求項３記載のガス絶縁電力機器では、集熱部の表面に集熱用フィンを設けているので、日光を受けた場合にガスの上昇力を確実に発生させることができ、循環路内にガスの流れを確実に発生させることができる。
【００２２】
また、請求項４記載のガス絶縁電力機器では、密閉容器が接地タンクから切り離し可能であり、密閉容器を切り離す場合に循環路の接地タンク側連通路を閉じる第１の開閉弁を備えているので、接地タンク内を大気に開放することなく密閉容器を切り離して吸着材を取り出すことができ、ガス絶縁電力機器の運転を止めずに吸着材を取り出したり交換することができる。また、万一、密閉容器に何らかの不具合が生じたとしても、密閉容器ごと交換することができる。
【００２３】
また、請求項５記載のガス絶縁電力機器では、密閉容器を切り離す場合に循環路の密閉容器側連通路を閉じる第２の開閉弁を備えているので、密閉容器を密閉したまま接地タンクから切り離すことができる。このため、吸着材を大気に接触させずに運搬することができ、分解ガスを吸着させたままの状態で吸着材を分析にかけることができる。
【００２４】
さらに請求項６記載のガス絶縁電力機器では、接地タンクから吸着材に至るまでの間の循環路に吸着材に接する前のガスを採取する採取口を設けているので、吸着材に触れる前の分解ガスを含むガスを採取することができる。このため、ガスの分析を行う場合、吸着材を接地タンク内に配置する構造のガス絶縁電力機器に比べて、分解ガスの検出が容易である。
【発明を実施するための最良の形態】
【００２５】
以下、本発明の構成を図面に示す最良の形態に基づいて詳細に説明する。
【００２６】
図１に本発明のガス絶縁電力機器の第１の実施形態を示す。このガス絶縁電力機器は、絶縁ガス１が封入された接地タンク２内に導体３を電気的に絶縁した状態で収容すると共に、接地タンク２内で発生した絶縁ガス１の分解ガスを吸着材４によって吸着除去するものである。そして、吸着材４を接地タンク２とは別の密閉容器５に収容すると共に、密閉容器５を接地タンク２に接続し、接地タンク２から密閉容器を経由して接地タンクへと戻る循環路９によって密閉容器５内と接地タンク２内とを連通させ、循環路９の途中に上流側よりも下流側が高く配置され且つ日光を受けた場合に内部のガスを暖めて上昇力を発生させる集熱部３４を設けている。本実施形態では、密閉容器５は接地タンク２から切り離し可能となっている。
【００２７】
図２に、接地タンク２の断面を示す。なお、図２はハンドホールフランジが設けられている位置とは別の位置の断面である。導体（主回路）３は、例えば高電圧中心導体で、例えば円筒形状を成している。導体３は、例えば円筒形状を成す接地タンク（機器外被）２の中心位置に配置され、支持絶縁物（スペーサ）８によって支持されている。絶縁ガス１は、例えばＳＦ６ガス、ＳＦ６ガスを含む混合ガス等である。ただし、これらのガスに限るものではなく、例えばＮ２ガス，ＣＯ２ガス，Ｃ３Ｆ８ガス，ｃ−Ｃ４Ｆ８ガス，ＣＦ３Ｉガス，ＣＦ４ガスおよびこれらの混合ガス等でも良い。
【００２８】
循環路９は、接地タンク２内のガスを密閉容器５内へと導く往路１５と、密閉容器５内のガスを接地タンク２へと戻す復路１６より構成されている。往路１５は配管２５と配管３２により構成され、復路１６は配管３３と配管２６によって構成されている。配管３２，３３は密閉容器側連通路であり、密閉容器５に固着されている。また、配管２５，２６は接地タンク側連通路であり、例えばハンドホールフランジ蓋２４に孔を設けて固着されている。配管２５，２６をハンドホールフランジ蓋２４に固着することで、既存の接地タンク２に取り付ける場合、既存の接地タンク２自体の設計変更を行わずにそのまま密閉容器５を取り付けることができ、特に、既に設置され運転されているガス絶縁電力機器に対してもハンドホールフランジ蓋２４の交換によって後付けすることができる。さらに、交換したハンドホールフランジ蓋２４を元に戻すことで、後付けした密閉容器５を取り外してガス絶縁電力機器を元の状態に戻すことができる。なお、既に設置され運転されているガス絶縁電力機器に適用する場合には、接地タンク２内に設けられている吸着材を撤去しておく。
【００２９】
配管２５と配管３２とは、互いのフランジ２５ａ，３２ａを突き合わせてボルトによって固定することで切り離し可能に接続されている。同様に、配管２６と配管３３とは、互いのフランジ２６ａ，３３ａを突き合わせてボルトによって固定することで切り離し可能に接続されている。
【００３０】
接地タンク側連通路である配管２５，２６には、密閉容器５を切り離す場合に当該接地タンク側連通路を閉じる第１の開閉弁７が設けられている。また、密閉容器側連通路である配管３２，３３には、密閉容器５を切り離す場合に当該密閉容器側連通路を閉じる第２の開閉弁１１が設けられている。
【００３１】
循環路９の途中には集熱部３４が設けられている。本実施形態では、密閉容器５を集熱部３４にしている。集熱部３４即ち密閉容器５の表面は、循環路９の表面よりも暗い色、例えば循環路９が明るいグレーに着色されているのに対し、集熱部３４は黒に着色されている。密閉容器５は、例えば日当たりのいい場所に配置されている。密閉容器５は上流側よりも下流側が高く配置されており、密閉容器５内の空間を下から上に向けてガスが通過する構造となっている。本実施形態では、上流側となる配管３２を密閉容器５の底面に連結し、下流側となる配管３３を密閉容器５の上面に連結して密閉容器５内を下から上に向けてガスがより一層通り抜け易い構造となっている。
【００３２】
なお、日光を受けて密閉容器５内の吸着材４も加熱されるが、日光による加熱では、吸着材４に吸着されている分解ガスが放出されるほどには吸着材４の温度は高くならない。
【００３３】
また、接地タンク２から吸着材４に至るまでの間の循環路９には吸着材４に接する前のガスを採取する採取口１３が設けられている。本実施形態では、密閉容器５に採取口１３が設けられている。ただし、採取口１３を設ける位置は密閉容器５に限るものではなく、吸着材４に接する前のガスを採取できる位置であれば良い。採取口１３を密閉容器５に設けることで、採取口１３の設置が容易であると共に、一体化したユニットとして取り扱うことができるので、その扱いが容易である。採取口１３には開閉弁１４が設けられており、ガスを採取する時以外の時には採取口１３を閉じておき、接地タンク２内及び密閉容器５内の気密性を確保している。
【００３４】
ガス絶縁電力機器の運転時には、第１及び第２の開閉弁７，１１を開き、接地タンク２内と密閉容器５内とを連通させておく。また、開閉弁１４を閉じておく。密閉容器５に日光が当たると、密閉容器５が暖められて温度が上昇する。したがって、密閉容器５内のガスも暖められ、上昇力が発生する。この上昇力によって接地タンク２内のガスが接地タンク２→往路１５→密閉容器５→復路１６→接地タンク２へと循環される。密閉容器５の表面は循環路９の表面よりも暗い色に着色されているので、日光を受けた場合の温度上昇が循環路９の温度上昇よりも大きい。このため、往路１５と密閉容器５との間に温度差が発生し、往路１５から密閉容器５内に流入したガスを密閉容器５内で確実に暖めることができ、ガスの上昇力を確実に発生させることができる。
【００３５】
接地タンク２内で通電異常や絶縁異常等の異常が発生すると、絶縁ガス１から分解ガスが発生する。接地タンク２内で発生した分解ガスは循環路９内に形成されるガスの流れに乗って密閉容器５内に到達し、吸着材４によって吸着除去される。このため、接地タンク２内の分解ガスの濃度を減少させることができる。循環路９内には密閉容器５内で発生する上昇力によって積極的な流れが形成されているので、接地タンク２内の分解ガスを迅速に密閉容器５まで移動させることができ、素早く分解ガスを吸着除去することができると共に、接地タンク２内への分解ガスの残留防止を図ることができる。分解ガスの多くは金属を腐食させる腐食性ガスである。吸着材４によって分解ガスを吸着除去するので、接地タンク２や導体３等を腐食させる程には分解ガスの濃度は高くならず、これらの腐食を防止することができる。
【００３６】
また、集熱部３４は自然エネルギーを利用して循環路９内に積極的な流れを形成するので、電気モータを使用して流れを形成する場合に比べて省エネルギーであり、また、壊れにくく保守管理が容易である。
【００３７】
密閉容器５を接地タンク２から切り離す場合、第１の開閉弁７によって接地タンク側連通路を閉じることで接地タンク２内の気密性を維持できる。このため、ガス絶縁電力機器の運転を止めずに密閉容器５を切り離すことができ、吸着材４を取り出して交換や修理・再生を行うことができる。また、吸着材４自体を分析の対象にすることが可能になる。また、第２の開閉弁１１によって密閉容器側連通路を閉じることで密閉容器５内の気密性を維持することができ、密閉容器５内の吸着材４を外気に接触させることなく分析にかけることができる。
【００３８】
ハンドホールフランジ蓋２４はある程度大径であり、往路１５と復路１６とを離して設置することができる。このため、接地タンク２内のガスを効率よく循環させることができ、接地タンク２内の分解ガスの残留を防止することができる。また、ハンドホールフランジ蓋２４への配管２５，２６の固着は容易であり、ガス絶縁電力機器の製造は簡単である。なお、配管２５，２６をハンドホールフランジ蓋２４以外の部分に固着させても良い。
【００３９】
ガス絶縁電力機器には、一般的には絶縁ガスを封入するための給排気管と、給排気管を開閉する開閉弁が予め設けられている。各配管２５，２６のいずれか一方として、給排気管を利用しても良い。また、第１の開閉弁７として、給排気管を開閉する開閉弁を利用しても良い。
【００４０】
また、ガス絶縁電力機器の同一ガス区画に２ヵ所以上のハンドホールフランジ蓋２４が設けられている場合には、別々のハンドホールフランジ蓋２４に往路１５となる配管２５と復路１６となる配管２６を固着するようにしても良い。この場合には、往路１５と復路１６をさらに離すことができるため、接地タンク２内でガスをより一層効率よく循環させることができ、接地タンク２内の分解ガスの残留をさらに防止することができる。
【００４１】
なお、上述の形態は本発明の好適な形態の一例ではあるがこれに限定されるものではなく本発明の要旨を逸脱しない範囲において種々変形実施可能である。
【００４２】
例えば、上述の説明では、集熱部３４としての密閉容器５の表面を循環路９の表面よりも暗い色に着色することで日光を受けた場合の温度上昇を循環路９よりも大きくしてガスの上昇力を発生させるようにしていたが、必ずしもこの構成に限るものではなく、集熱部３４内のガスを日光によって暖めて上昇力を発生させることができるものであれば良い。例えば、図３に示すように集熱部３４の表面に集熱用フィン３４ａを設け、日光を受けた場合の温度上昇が循環路９よりも大きくなるようしても良い。この場合には、集熱部３４の表面を循環路９の表面よりも暗い色に着色しなくても往路１５と密閉容器５との間に温度差を発生させて往路１５から密閉容器５内に流入したガスを密閉容器５内で確実に暖めることができ、ガスの上昇力を確実に発生させることができる。なお、この場合にも、集熱部３４の表面を循環路９の表面よりも暗い色に着色しても良い。
【００４３】
また、上述の説明では、密閉容器５を集熱部３４にしていたが、密閉容器５とは別に集熱部３４を設けても良い。例えば、図４に示すように配管３３の一部を垂直に配置し、この垂直部分に集熱部３４を設けても良い。図４の例では、垂直部分の表面を他の循環路９の部分よりも暗い色に着色することで集熱部３４を設けているが、集熱用フィン３４ａを形成することで集熱部３４を設けても良い。また、表面を他よりも暗い色に着色することと集熱フィンを形成することの両方によって集熱部３４を設けても良い。なお、図４の例では、配管３３に集熱部３４を形成していたが、その他の配管３２，２５，２６に集熱部３４を形成しても良い。また、集熱部３４を密閉容器５の上流側に設けても、下流側に設けても良い。
【００４４】
また、上述の説明では、吸着材４に接触する前のガスを採取する採取口１３を設けていたが、吸着材４に接触する前のガスを採取する必要がない場合等には採取口１３を省略しても良い。
【００４５】
また、接地タンク２から密閉容器５を切り離した場合に、吸着材４が外気に触れても良い場合等には、第２の開閉弁１１を省略しても良い。
【図面の簡単な説明】
【００４６】
【図１】本発明のガス絶縁電力機器の実施形態の一例を示す概略構成図である。
【図２】接地タンクの断面図である。
【図３】集熱部の他の例を示す概略構成図である。
【図４】集熱部の更に他の例を示す概略構成図である。
【符号の説明】
【００４７】
１  絶縁ガス
２  接地タンク
３  導体
４  吸着材
５  密閉容器
９  循環路
１３  採取口
３４  集熱部
【図１】
2008067537.tif 000003
【図２】
2008067537.tif 000004
【図３】
2008067537.tif 000005
【図４】
2008067537.tif 000006